(57)【要約】【課題】ＥＤＣＡを用いた送信の優先付けにより、パケット衝突率が増加し、パフォーマンスが低下する問題を解決する。【解決手段】基地局（ａ１）は、標準規格ＩＥＥＥ８０２．１１ｅに準拠し、ＥＤＣＡアクセス方式を用いて通信を行う。基地局（ａ１）はＥＤＣＡアクセスパラメータの計算を行うアクセスパラメータ計算部（ｂ１０）を備える。アクセスパラメータ計算部（ｂ１０）は、ＥＤＣＡのアクセスカテゴリの一つであるＡＣ＿ＶＯおよび／またはＡＣ＿ＶＩのカテゴリに属する通信のトラフィック量を監視し、一定値以上のトラフィック量を送信する無線端末（ＳＴＡ）の台数を計測し、その計測値を格納する計測部（ｂ１１）と、前記計測値に応じて、基地局（ａ１）と通信を行うＳＴＡのＥＤＣＡアクセスパラメータ、および、基地局（ａ１）自身が通信を行う際に使用するＥＤＣＡアクセスパラメータを決定するアクセスパラメータ決定部（ｂ１２）とを備える。【選択図】        図２−１
2006246030.tif 000002
【特許請求の範囲】
【請求項１】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属する通信のトラフィック量を監視し、一定値以上のトラフィック量を送信するＳＴＡの台数を計測し、該計測値を格納する計測部と、
前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項２】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
前記基地局が使用している周波数において一定期間に前記基地局またはＳＴＡがメディアを使用している時間を計測し、該計測値から無線チャネル使用率を計算し、前記無線チャネル使用率を格納する計測部と、
前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項３】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属する通信のトラフィック量を監視し、一定値以上のトラフィック量を送信するＳＴＡの台数を計測し、該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、前記無線チャネル使用率を格納する計測部と、
前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項４】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリにおいてＳＴＡからＡＤＤＴＳフレームによって通信の許可を要求されるトラフィックのＴＳＰＥＣ情報を管理し、ＴＳＰＥＣ情報からあらかじめ設定されたトラフィック条件に適合するＳＴＡの台数を計測し、該計測値を格納する計測部と、
前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項５】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリにおいてＳＴＡからＡＤＤＴＳフレームによって通信の許可を要求されるトラフィックのＴＳＰＥＣ情報を管理しＴＳＰＥＣ情報からあらかじめ設定されたトラフィック条件に適合するＳＴＡの台数を計測し、該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、該無線チャネル使用率を格納する計測部と、
前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項６】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属するパケットのうち、ＲＴＰヘッダが存在するパケットのトラフィック量を監視し、該トラフィック量が一定値以上のトラフィックを送信するＳＴＡの台数を計測し、該計測値を格納する計測部と、
前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項７】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属するパケットのうち、ＲＴＰヘッダが存在するパケットのトラフィック量を監視し、該トラフィック量が一定値以上のトラフィックを送信するＳＴＡの台数を計測し該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、該無線チャネル使用率を格納する計測部と、
前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項８】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属する過去一定期間内パケットの送信について、送信成功数を全送信試行数で割った値を計算し、該計算値を格納する計測部と、
前記計算値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項９】
基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、
ＥＤＣＡアクセスパラメータの計算を行うアクセスパラメータ計算部を備え、
前記アクセスパラメータ計算部は、
ＥＤＣＡのアクセスカテゴリの一つであるＡＣ＿ＶＯおよび／またはＡＣ＿ＶＩのカテゴリに属する過去一定期間内パケットの受信について、受信パケットのリトライビットが１であるパケット数を全受信数で割った値を計算し、該計算値を格納する計数部と、
前記計算値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、
を備える無線基地局。
【請求項１０】
請求項１ないし９に記載される無線基地局であって、
前記基地局と通信を行うＳＴＡがＩＥＥＥ８０２．１１ｅ規格に準拠したＳＴＡかどうかを判別する判別部を備え、
前記アクセスパラメータ決定部は、前記基地局と通信を行う前記ＳＴＡのＥＤＣＡアクセスパラメータ、および、前記基地局自身が通信を行う際に使用するＥＤＣＡアクセスパラメータに関して、前記基地局と通信を行う複数のＳＴＡの中にＩＥＥＥ８０２．１１ｅ規格に準拠しないＳＴＡが少なくとも１台存在する場合と、全く存在しない場合で、２通りのアクセスパラメータを保持し、前記判別部の判別結果に従い、前記２通りのアクセスパラメータを使い分けて、アクセスパラメータを決定する無線基地局。
【発明の詳細な説明】
【技術分野】
【０００１】
本発明は無線アクセス方式にＩＥＥＥ８０２．１１ｅを採用する無線通信方式に関する。
【背景技術】
【０００２】
ＩＥＥＥ８０２．１１ｅは米国の標準化団体ＩＥＥＥ(Institute of Electrical and Electronics Engineers)により標準化された無線ＬＡＮ通信方式の規格であるＩＥＥＥ８０２．１１の一つである。ＩＥＥＥ８０２．１１ｅの機能は、ＩＥＥＥ８０２．１１通信方式においてＱｏＳ(Quality of Service)機能を実現するものである。その機能は大きく分けて２つのアクセス方式により実現されている。一つはＥＤＣＡ(Enhanced Distributed Coordination Access)と呼ばれる方式であり、パケットを４つのアクセスカテゴリに分け、プライオリティの高いパケットを優先的に行う方式であり、もう一つは、ＨＣＣＡ(HCF Controlled Channel Access)と呼ばれる、ＨＣＦ(Hybrid Coordination Function)であり、ポーリングを使ったＨＣ(Hybrid Coordinator)による集中制御を実現する方式である。（非特許文献１）
【０００３】
ＥＤＣＡは従来のＩＥＥＥ８０２．１１で使用されていたＤＣＦ(Distributed Coordination Function)を拡張したアクセス方式であり、ベスト・エフォート用のＡＣ＿ＢＥ，背景トラフィック用のＡＣ＿ＢＫ，ビデオ伝送用のＡＣ＿ＶＩ，音声用のＡＣ＿ＶＯの４つのアクセスカテゴリ（ＡＣ）にパケットを分別し、それぞれの優先度に応じた送信を行う。送信手順は以下に述べる方法で行われる。それぞれのアクセスカテゴリのキューに送信するパケットが格納されると、まずＡＩＦＳ(Arbitration Inter Frame Space）と呼ばれる待ち時間送信待機した後、ランダムバックオフの手順が開始される。ランダムバックオフは０からコンテンションウインドウのサイズ（ＣＷ）までの整数をランダムに選択し、一定値で決定されているスロットタイムを選択した整数倍した時間だけ送信待機する。待機時間をランダムにするのは、基地局と通信を行う無線端末（ＳＴＡ）が同じ待ち時間の間待機した後、一斉に送信を開始するのではパケットの衝突が発生するので、それを避けるためである。このランダムバックオフ時間は使用しているチャネルで他のＳＴＡの通信を受信しない、また、他のアクセスカテゴリが送信を開始しなければ、スロットタイムごとに消費されていき、最も早くバックオフ時間が０になったアクセスカテゴリが送信権を獲得し、送信を開始する。２つ以上のアクセスカテゴリのバックオフ時間が同時に０になった場合、あらかじめ決められた優先度に従い、プライオリティの高いアクセスカテゴリが送信権を得る。送信権を得たアクセスカテゴリは、ＴＸＯＰ(Transmission Opportunity)の間送信が可能である。パケットが衝突し送信が失敗した場合、およびアクセスカテゴリ間の競合で送信されなかったカテゴリは、ＣＷ値を２倍にし、再度送信手順を行う。この際、ＣＷ値の初期値はＣＷｍｉｎで決定され、最大値ＣＷｍａｘを超えない値とされる。ＣＷｍｉｎ，ＣＷｍａｘはＥＣＷｍｉｎ，ＥＣＷｍａｘにより、以下のように計算される。
ＣＷｍｉｎ＝２ＥＣＷｍｉｎ−１
ＣＷｍａｘ＝２ＥＣＷｍａｘ−１
【０００４】
４つのアクセスカテゴリごとにこのＡＩＦＳ、ＣＷｍｉｎ、ＣＷｍａｘを決定する。ＥＣＷｍｉｎ、ＥＣＷｍａｘ値、および送信権獲得後の送信可能時間ＴＸＯＰが独立に設定され、アクセスカテゴリのプライオリティに応じた値に設定することにより、相対的な優先制御を可能としている。これらの値はＥＤＣＡアクセスパラメータと呼ばれ、基地局からＳＴＡにビーコン信号などで報知され、ＳＴＡはこのパラメータを利用して送信する。また、基地局はＳＴＡとは、基地局自身が送信に使用するアクセスパラメータを独立に設定しても良い。
【０００５】
【非特許文献１】守倉正博著、久保田周治監修、「改訂８０２．１１  高速無線ＬＡＮ教科書」、出版社：ＩＤＧジャパン、ｐ．１３２〜ｐ．１３６
【発明の開示】
【発明が解決しようとする課題】
【０００６】
ＥＤＣＡを用いた送信の優先付けにより、プライオリティの高いパケットが優先的に送信されることになる。しかしながら、プライオリティの高いパケットのＣＷ(Contention Window)のサイズを短くすることで優先度を高めることは、パケット衝突率が増加する危険がある。即ち、衝突回避アルゴリズムであるランダムバックオフのランダム性が低下することで、ＳＴＡ台数が増加した場合にパケット衝突率が高くなる。このことはつまり、ＶｏＩＰのようなリアルタイム性が必要で高いプライオリティのトラフィックが多くのＳＴＡから送信された場合、パフォーマンスが低下する問題があることを意味する。
【課題を解決するための手段】
【０００７】
上記の問題点に対し、本発明は以下に述べる方法でこれを改善する。
【０００８】
第１〜第１０の発明は、基地局と、前記基地局と通信を行う無線端末（ＳＴＡ）を有し、標準規格ＩＥＥＥ８０２．１１ｅに準拠した無線アクセス方式を用いる無線通信システムであり、前記基地局および前記ＳＴＡはＥＤＣＡアクセス方式を用いて通信を行う機能を備えている無線通信システムにおける基地局であって、ＥＤＣＡアクセスパラメータの計算を行うアクセスパラメータ計算部を備える基地局であり、次の点を特徴とする。
【０００９】
第１の発明は、前記アクセスパラメータ計算部は、ＥＤＣＡのアクセスカテゴリの一つであるＡＣ＿ＶＯおよび／またはＡＣ＿ＶＩのカテゴリに属する通信のトラフィック量を監視し、一定値以上のトラフィック量を送信するＳＴＡの台数を計測し、該計測値を格納する計測部と、前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１０】
第２の発明は、前記アクセスパラメータ計算部は、前記基地局が使用している周波数において一定期間に前記基地局またはＳＴＡがメディアを使用している時間を計測し、該計測値から無線チャネル使用率を計算し、前記無線チャネル使用率を格納する計測部と、前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１１】
第３の発明は、前記アクセスパラメータ計算部は、ＥＤＣＡのアクセスカテゴリの一つであるＡＣ＿ＶＯおよび／またはＡＣ＿ＶＩのカテゴリに属する通信のトラフィック量を監視し、一定値以上のトラフィック量を送信するＳＴＡの台数を計測し、該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、前記無線チャネル使用率を格納する計測部と、前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１２】
第４の発明は、前記アクセスパラメータ計算部は、ＥＤＣＡのアクセスカテゴリの一つであるＡＣ＿ＶＯおよび／またはＡＣ＿ＶＩのカテゴリにおいてＳＴＡからＡＤＤＴＳフレームによって通信の許可を要求されるトラフィックのＴＳＰＥＣ情報を管理し、ＴＳＰＥＣ情報からあらかじめ設定されたトラフィック条件に適合するＳＴＡの台数を計測し、該計測値を格納する計測部と、前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１３】
第５の発明は、前記アクセスパラメータ計算部は、ＥＤＣＡのアクセスカテゴリの一つであるＡＣ＿ＶＯおよび／またはＡＣ＿ＶＩのカテゴリにおいてＳＴＡからＡＤＤＴＳフレームによって通信の許可を要求されるトラフィックのＴＳＰＥＣ情報を管理しＴＳＰＥＣ情報からあらかじめ設定されたトラフィック条件に適合するＳＴＡの台数を計測し、該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、該無線チャネル使用率を格納する計測部と、前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１４】
第６の発明は、前記アクセスパラメータ計算部は、ＥＤＣＡのアクセスカテゴリの一つであるＡＣ＿ＶＯおよび／またはＡＣ＿ＶＩのカテゴリに属するパケットのうち、ＲＴＰヘッダが存在するパケットのトラフィック量を監視し、該トラフィック量が一定値以上のトラフィックを送信するＳＴＡの台数を計測し、該計測値を格納する計測部と、前記計測値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１５】
第７の発明は、前記アクセスパラメータ計算部は、ＥＤＣＡのアクセスカテゴリの一つであるＡＣ＿ＶＯおよび／またはＡＣ＿ＶＩのカテゴリに属するパケットのうち、ＲＴＰヘッダが存在するパケットのトラフィック量を監視し、該トラフィック量が一定値以上のトラフィックを送信するＳＴＡの台数を計測し該計測値を検出ＳＴＡ数とし、該計測値を格納するとともに、前記基地局が使用している周波数において一定期間に前記基地局またはＳＴＡがメディアを使用している時間を計測し、該計測値から無線チャネル使用率を計算し、該無線チャネル使用率を格納する計測部と、前記検出ＳＴＡ数と前記無線チャネル使用率に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１６】
第８の発明は、前記アクセスパラメータ計算部は、ＥＤＣＡのアクセスカテゴリの一つであるＡＣ＿ＶＯおよび／またはＡＣ＿ＶＩのカテゴリに属する過去一定期間内パケットの送信について、送信成功数を全送信試行数で割った値を計算し、該計算値を格納する計測部と、前記計算値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１７】
第９の発明は、前記アクセスパラメータ計算部は、ＥＤＣＡのアクセスカテゴリの一つであるＡＣ＿ＶＯおよび／またはＡＣ＿ＶＩのカテゴリに属する過去一定期間内パケットの受信について、受信パケットのリトライビットが１であるパケット数を全受信数で割った値を計算し、該計算値を格納する計数部と、前記計算値に応じて、前記基地局と通信を行う前記ＳＴＡのＥＤＣＡアクセスパラメータ、および、前記基地局自身が通信を行う際に使用するＥＤＣＡアクセスパラメータを決定するアクセスパラメータ決定部と、を備えることを特徴とする。
【００１８】
第１０の発明は、第１〜第９の発明において、前記基地局と通信を行うＳＴＡがＩＥＥＥ８０２．１１ｅ規格に準拠したＳＴＡかどうかを判別する判別部を備え、前記アクセスパラメータ決定部は、前記基地局と通信を行う前記ＳＴＡのＥＤＣＡアクセスパラメータ、および、前記基地局自身が通信を行う際に使用するＥＤＣＡアクセスパラメータに関して、前記基地局と通信を行う複数のＳＴＡの中にＩＥＥＥ８０２．１１ｅ規格に準拠しないＳＴＡが少なくとも１台存在する場合と、全く存在しない場合で、２通りのアクセスパラメータを保持し、前記判別部の判別結果に従い、前記２通りのアクセスパラメータを使い分けて、アクセスパラメータを決定することを特徴とする。
【発明の効果】
【００１９】
本発明により、例えばＶｏＩＰのようなリアルタイム性が重視され、プライオリティが高いパケットを送信するＳＴＡの台数が増加した場合に、従来の方式ではパケット衝突率が増加し、パフォーマンスが低下する問題に対して、パケット衝突率の増加を改善し、パフォーマンスを改善することが可能である。
【発明を実施するための最良の形態】
【００２０】
以下、本発明の実施形態について、図を参照しながら説明する。
本発明の実施形態としては、図１に示すように基地局（ＡＰ(Access Point)）（ａ１）と無線端末であるＳＴＡ（ａ２，ａ３）からなる形態の通信システムにおいて、ＳＴＡ(STAation)は基地局とＥＤＣＡ方式で通信を行う状況を想定している。基地局（ａ１）およびＳＴＡ（ａ２，ａ３）はＩＥＥＥ８０２．１１ｅに準拠した装置でありＥＤＣＡパラメータセットを計算する機能を備えている。なお、図１においてはＳＴＡとしてａ２，ａ３だけを示しているが、これは多数存在しているＳＴＡを代表して図示したものであり、実際には基地局（ａ１）と通信可能なエリア内に多数のＳＴＡが存在することができる。
【００２１】
図２−１に基地局（ＡＰ）のシステム構成図を示す。基地局（ａ１）は、ＥＤＣＡアクセスパラメータセットの計算を行うアクセスパラメータ計算部（ｂ１０）と、ＳＴＡ用アクセスパラメータセットをＳＴＡ（ａ２，ａ３）に送信するＳＴＡ用アクセスパラメータ送信部（ｂ１３）と、ＡＰ（ａ１）用のアクセスパラメータセットを更新するＡＰ用アクセスパラメータ更新部（ｂ１４）と、を備える。アクセスパラメータ計算部ｂ１０は、必要な各種統計値を取得し図示しない記憶装置に記憶する計測部（ｂ１１）と、ＡＰ用、ＳＴＡ用のＥＤＣＡパラメータセットを決定するアクセスパラメータ決定部（ｂ１２）を備える。図２−１には示していないが、基地局（ａ１）およびアクセスパラメータ計算部（ｂ１０）がＩＥＥＥ８０２．１１ｅに準拠したその他の必要な機能を有していることはいうまでもない。
【００２２】
図２−２は基地局（ａ１）のＥＤＣＡパラメータ更新手順を示すフローチャートである。基地局（ａ１）は図２−２に示すフローチャートのように、まず計測部（ｂ１１）がＥＤＣＡパラメータ更新の判定をするために必要な各種統計値を取得する（ｂ１）。次にアクセスパラメータ決定部（ｂ１２）が、統計値から、あらかじめ設定された条件に従い、通信環境に適したＡＰ用、ＳＴＡ用のＥＤＣＡパラメータセットを決定する（ｂ２）。アクセスパラメータ決定部（ｂ１２）が決定したＥＤＣＡパラメータセットは、ＳＴＡ用のパラメータセットについては、ＳＴＡ用アクセスパラメータ送信部（ｂ１３）が、基地局（ａ１）が報知するビーコンフレームなど、ＥＤＣＡパラメータセットが含まれるフレームによりＳＴＡ（ａ２，ａ３）に報知する（ｂ３）。基地局用のパラメータセットに関しては、ＡＰ用アクセスパラメータ更新部（ｂ１４）がＡＰ用アクセスパラメータセットを更新し（ｂ４）、基地局（ａ１）は以後この値を使用して通信を行う。
【００２３】
基地局（ａ１）のアクセスパラメータ決定部（ｂ１２）では、ＳＴＡ台数やチャネル使用率に閾値を設け、閾値を越えたらＣＷｍｉｎおよび／またはＣＷｍａｘを増加するように決定する（ＣＷｍｉｎ、ＣＷｍａｘについては背景技術参照）。これにより、パケットの衝突率の増加を改善でき、パフォーマンスを改善することができる。ＣＷｍｉｎ、ＣＷｍａｘの両者を増加させたり、片方だけを増加させてもよい。効果としてはＣＷｍｉｎの増加の方が大きい。好適には、閾値を複数設け、それぞれの閾値を越える度に、ベスト・エフォート用のＡＣ＿ＢＥ，背景トラフィック用のＡＣ＿ＢＫ，ビデオ伝送用のＡＣ＿ＶＩ，音声用のＡＣ＿ＶＯの全カテゴリでＣＷｍｉｎとＣＷｍａｘを２倍にするのがよいが、これに限定されない。必要なアクセスパラメータだけ、例えば、測定したアクセスパラメータだけ、適切な値だけ増加させてもよい。また、閾値を用いずに、他の方法でＳＴＡ台数やチャネル使用率に応じてＣＷｍｉｎおよび／またはＣＷｍａｘを増加するようにしてもよい。
【００２４】
図３−１に、基地局（ＡＰ）と通信を行う無線端末（ＳＴＡ）のシステム構成図を示す。ＳＴＡ（ａ２，ａ３）は、ＳＴＡ用アクセスパラメータセットを基地局（ａ１）から取得するＳＴＡ用アクセスパラメータ取得部（ｃ１１）と、ＳＴＡ用アクセスパラメータセットを更新するＳＴＡ用アクセスパラメータ更新部（ｃ１２）と、を備える。図３−１には示していないが、無線端末（ａ２，ａ３）がＩＥＥＥ８０２．１１ｅに準拠したその他の必要な機能を有していることはいうまでもない。
【００２５】
図３−２はＳＴＡ（ａ２，ａ３）のＥＤＣＡパラメータ受信手順を示すフローチャートである。図３−２に示すように、ＳＴＡ（ａ２，ａ３）は基地局から報知されるＥＤＣＡパラメータセット受信動作を行い、ＳＴＡ用アクセスパラメータ取得部（ｃ１１）が受信したフレームに含まれていたＥＤＣＡパラメータセットを取り出す（ｃ１）。次に、ＳＴＡ用アクセスパラメータ更新部（ｃ１２）がＳＴＡ用アクセスパラメータセットを更新する（ｃ２）。その値を用いて以後の通信を行う。
【００２６】
以上が本発明の実施形態の基本的な動作である。具体的には、図２−１の計測部（ｂ１１）およびアクセスパラメータ決定部（ｂ１２）は以下の実施形態１〜９に示すように統計値を取得してＥＤＣＡパラメータセットを決定する。
【００２７】
（実施形態１）
実施形態１では、計測部（ｂ１１）は、ＥＤＣＡのアクセスカテゴリの一つである音声用のＡＣ＿ＶＯのカテゴリに属する通信のトラフィック量を監視し、一定値以上のトラフィック量を送信するＳＴＡの台数を計測し、その計測値を図示していない記憶装置に格納する。そして、アクセスパラメータ決定部（ｂ１２）は、計測部（ｂ１１）が計測した計測値に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００２８】
すなわち、実施形態１においては、基地局（ａ１）は音声用のＡＣ＿ＶＯのアクセスカテゴリに属する通信について、一定期間内に各ＳＴＡから受信するトラフィック量を取得し、そのトラフィック量が一定量を超えたＳＴＡの台数を数える。この台数により、図４に示すように、あらかじめ設定された閾値（ｄ３，ｄ４）に応じて、ＥＤＣＡパラメータセットの値（例えば閾値１（ｄ３）以下ならｄ１）を決定する。図４はＳＴＡの台数によるＥＤＣＡパラメータの変更を示す図であり、横軸（ｄ２）は条件に適合したＳＴＡの台数（トラフィック量が一定量を超えたＳＴＡの台数）である。図４は、トラフィック量が一定量を超えたＳＴＡの台数が閾値１（ｄ３）以下の場合はＥＤＣＡパラメータセット（１）を用い、トラフィック量が一定量を超えたＳＴＡの台数が閾値１（ｄ３）を超え閾値２（ｄ４）以下の場合はＥＤＣＡパラメータセット（２）を用い、トラフィック量が一定量を超えたＳＴＡの台数が閾値２（ｄ４）を超える場合はＥＤＣＡパラメータセット（３）を用いることを示している。アクセスパラメータ決定部（ｂ１２）は、図４に示すＥＤＣＡパラメータセット（１）〜（３）、閾値１、閾値２を、図示しない記憶装置に保持しており、これを用いてアクセスパラメータを決定する。
【００２９】
このとき、例えば物理層にＩＥＥＥ８０２．１１ｂを使った場合、標準ではＡＣ＿ＶＯのＣＷｍｉｎ値は７であり小さく、ＳＴＡ台数が多いとき衝突率の増加が問題となるが、ＡＣ＿ＶＯでパケットを送信する台数の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００３０】
また、上記の音声用のＡＣ＿ＶＯのアクセスカテゴリの代わりに、ビデオ伝送用のＡＣ＿ＶＩのアクセスカテゴリに属する通信について、同様に、トラフィック量を監視し、一定値以上のトラフィック量を送信するＳＴＡの台数を計測し、その計測値に基づいてアクセスパラメータを決定するようにしてもよい。また、音声用のＡＣ＿ＶＯのカテゴリおよびビデオ伝送用のＡＣ＿ＶＩのアクセスカテゴリに属する通信について、同様に、トラフィック量を監視し、一定値以上のトラフィック量を送信するＳＴＡの台数を計測し、その計測値に基づいてアクセスパラメータを決定するようにしてもよい。
【００３１】
（実施形態２）
実施形態２では、計測部（ｂ１１）は、基地局（ａ１）が使用している周波数において一定期間に基地局（ａ１）またはＳＴＡがメディアを使用している時間を計測し、その計測値から無線チャネル使用率を計算し、その無線チャネル使用率を格納する。そして、アクセスパラメータ決定部（ｂ１２）は、前記無線チャネル使用率に応じて、基地局（ａ１）と通信を行うＳＴＡ（ｂ２，ｂ３）のＥＤＣＡアクセスパラメータ、および、基地局（ａ１）自身が通信を行う際に使用するＥＤＣＡアクセスパラメータを決定する。
【００３２】
すなわち、実施形態２においては、図５に示すように、使用しているチャネルの使用率によりＥＤＣＡパラメータセットを切り替える。図５はチャネル使用率によるＥＤＣＡパラメータの変更を示す図であり、横軸（ｅ２）はチャネル使用率である。図５は、チャネル使用率が閾値１（ｅ３）以下の場合はＥＤＣＡパラメータセット（１）を用い、チャネル使用率が閾値１（ｅ３）を超え閾値２（ｅ４）以下の場合はＥＤＣＡパラメータセット（２）を用い、チャネル使用率が閾値２（ｅ４）を超える場合はＥＤＣＡパラメータセット（３）を用いることを示している。図５に示すＥＤＣＡパラメータセット（１）〜（３）、閾値１、閾値２が図示しない記憶装置に記憶されており、これを用いてアクセスパラメータ決定部（ｂ１２）がアクセスパラメータを決定する。
【００３３】
チャネル使用率が増加すれば、衝突率の増加が問題になるが、チャネル使用率の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００３４】
（実施形態３）
実施形態３では、計測部（ｂ１１）は、ＥＤＣＡのアクセスカテゴリの一つである音声用のＡＣ＿ＶＯのカテゴリに属する通信のトラフィック量を監視し、一定値以上のトラフィック量を送信するＳＴＡの台数を計測し、その計測値を検出ＳＴＡ数とし、その計測値を図示しない記憶装置に格納するとともに、基地局（ａ１）が使用している周波数において一定期間に基地局（ａ１）またはＳＴＡがメディアを使用している時間を計測し、その計測値から無線チャネル使用率を計算し、その無線チャネル使用率を図示しない記憶装置に格納する。そして、アクセスパラメータ決定部（ｂ１２）は、前記検出ＳＴＡ数と前記無線チャネル使用率に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００３５】
すなわち、実施形態３としては、図６に示すようにＡＣ＿ＶＯの送信トラフィック量が一定量を超えたＳＴＡの台数とチャネル使用率の両方でＥＤＣＡパラメータセットを切り替える。図６はＳＴＡの台数およびチャネル使用率によるＥＤＣＡパラメータの変更を示す図であり、横軸（ｆ６）は条件に適合したＳＴＡの台数（トラフィック量が一定量を超えたＳＴＡの台数）であり、縦軸（ｆ１）はチャネル使用率である。図６は、トラフィック量が一定量を超えたＳＴＡの台数の閾値とチャネル使用率の閾値に応じて、ＥＤＣＡパラメータセットを切り替えることを示しており、例えば、条件に適合したＳＴＡの台数（トラフィック量が一定量を超えたＳＴＡの台数）が閾値２（ｆ５）を超え、かつ、チャネル使用率が閾値２（ｆ２）を超えている場合は、ＥＤＣＡパラメータセット（９）（ｆ７）を使用する。アクセスパラメータ決定部（ｂ１２）は、図６に示すＥＤＣＡパラメータセット（１）〜（９）、条件に適合したＳＴＡ台数の閾値１（ｆ４）、閾値２（ｆ５）、チャネル使用率の閾値１（ｆ３）、閾値２（ｆ２）を図示しない記憶装置に保持しており、これを用いてアクセスパラメータを決定する。
【００３６】
ＡＣ＿ＶＯでパケットを送信する台数とチャネル使用率の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００３７】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００３８】
（実施形態４）
実施形態４では、計測部（ｂ１１）は、ＥＤＣＡのアクセスカテゴリの一つである音声用のＡＣ＿ＶＯのカテゴリにおいてＳＴＡからＡＤＤＴＳフレームによって通信の許可を要求されるトラフィックのＴＳＰＥＣ情報を管理し、ＴＳＰＥＣ情報からあらかじめ設定されたトラフィック条件に適合するＳＴＡの台数を計測し、その計測値を格納する。そして、アクセスパラメータ決定部（ｂ１２）は、前記計測値に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００３９】
すなわち、実施形態４においては、ＳＴＡから基地局（ａ１）に対して、通信したいトラフィックの許可を求めるため、ＡＤＤＴＳフレームによりＴＳＰＥＣと呼ばれるトラフィックの情報を送信するが、このＴＳＰＥＣ内のトラフィック情報から、レート、パケットサイズ、送信間隔からあらかじめ設定されたトラフィックであると判別された場合、その通信を行うＳＴＡを、基地局（ａ１）が管理している条件に適合したＳＴＡ台数に数え、この台数によりＥＤＣＡパラメータを変更する。
【００４０】
条件に適合したＳＴＡ台数の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００４１】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００４２】
（実施形態５）
実施形態５では、計測部（ｂ１１）は、ＥＤＣＡのアクセスカテゴリの一つである音声用のＡＣ＿ＶＯのカテゴリにおいてＳＴＡからＡＤＤＴＳフレームによって通信の許可を要求されるトラフィックのＴＳＰＥＣ情報を管理しＴＳＰＥＣ情報からあらかじめ設定されたトラフィック条件に適合するＳＴＡの台数を計測し、その計測値を検出ＳＴＡ数とし、その計測値を図示しない記憶装置に格納するとともに、基地局（ａ１）が使用している周波数において一定期間に基地局（ａ１）またはＳＴＡがメディアを使用している時間を計測し、その計測値から無線チャネル使用率を計算し、その無線チャネル使用率を図示しない記憶装置に格納する。そして、アクセスパラメータ決定部（ｂ１２）は、前記検出ＳＴＡ数と前記無線チャネル使用率に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００４３】
すなわち、実施形態５は、条件に適合するＳＴＡの台数とチャネル使用率によりＥＤＣＡパラメータを変更するものである。
【００４４】
条件に適合するＳＴＡの台数とチャネル使用率の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００４５】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００４６】
（実施形態６）
実施形態６では、計測部（ｂ１１）は、ＥＤＣＡのアクセスカテゴリの一つである音声用のＡＣ＿ＶＯのカテゴリに属するパケットのうち、ＲＴＰヘッダが存在するパケットのトラフィック量を監視し、そのトラフィック量が一定値以上のトラフィックを送信するＳＴＡの台数を計測し、その計測値を図示しない記憶装置に格納する。そして、アクセスパラメータ決定部（ｂ１２）は、前記計測値に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００４７】
すなわち、実施形態６では、ＳＴＡ台数の数え方の別の方法として、基地局（ａ１）は、ＳＴＡから受信したパケットのうち、音声用のＡＣ＿ＶＯのアクセスカテゴリでＲＴＰ(Real Time Protocol)ヘッダを持つパケットの一定期間のトラフィック量が閾値を超えた場合にそのＳＴＡの台数を数え、その台数によりＥＤＣＡパラメータを変更する。
【００４８】
条件に適合したＳＴＡ台数の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００４９】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００５０】
（実施形態７）
実施形態７では、計測部（ｂ１１）は、ＥＤＣＡのアクセスカテゴリの一つであるＡＣ＿ＶＯのカテゴリに属するパケットのうち、ＲＴＰヘッダが存在するパケットのトラフィック量を監視し、該トラフィック量が一定値以上のトラフィックを送信するＳＴＡの台数を計測し計測値を検出ＳＴＡ数とし、その計測値を格納するとともに、基地局（ａ１）が使用している周波数において一定期間に基地局（ａ１）またはＳＴＡがメディアを使用している時間を計測し、その計測値から無線チャネル使用率を計算し、その無線チャネル使用率を格納する。そして、アクセスパラメータ決定部（ｂ１２）は、前記検出ＳＴＡ数と前記無線チャネル使用率に応じて、基地局と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００５１】
すなわち、実施形態７は、条件に適合するＳＴＡ台数とチャネル使用率の両方でＥＤＣＡパラメータを決定するものである。
【００５２】
条件に適合するＳＴＡの台数とチャネル使用率の増加とともにＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００５３】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００５４】
（実施形態８）
実施形態８では、計測部（ｂ１１）は、ＥＤＣＡのアクセスカテゴリの一つであるＡＣ＿ＶＯのカテゴリに属する過去一定期間内パケットの送信について、送信成功数を全送信試行数で割った値を計算し、その計算値を格納する。そして、アクセスパラメータ決定部（ｂ１２）は、前記計算値に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００５５】
すなわち、実施形態８は、基地局が一定期間にＡＣ＿ＶＯカテゴリにて送信したパケットのうち、送信成功したパケット数をＡＣ＿ＶＯでの全送信パケット数で割った値によりＥＤＣＡパラメータを変更するものである。図７は、計算値（実施形態８においては、送信成功したパケット数をＡＣ＿ＶＯでの全送信パケット数で割った値）によるＥＤＣＡパラメータの変更を示す図であり、横軸（ｇ２）は上記の計算値である。図７は、計算値が閾値１（ｇ３）以下の場合はＥＤＣＡパラメータセット（１）を用い、計算値が閾値１（ｇ３）を超え閾値２（ｇ４）以下の場合はＥＤＣＡパラメータセット（２）を用い、計算値が閾値２（ｇ４）を超える場合はＥＤＣＡパラメータセット（３）を用いることを示している。図７に示すＥＤＣＡパラメータセット（１）〜（３）、閾値１、閾値２が図示しない記憶装置に記憶されており、これを用いてアクセスパラメータ決定部（ｂ１２）がアクセスパラメータを決定する。
【００５６】
送信成功したパケット数を全送信パケット数で割った値が減少したらＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００５７】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００５８】
（実施形態９）
実施形態９では、計測部（ｂ１１）は、ＥＤＣＡのアクセスカテゴリの一つであるＡＣ＿ＶＯのカテゴリに属する過去一定期間内パケットの受信について、受信パケットのリトライビットが１であるパケット数を全受信数で割った値を計算し、その計算値を格納する。そして、アクセスパラメータ決定部（ｂ１２）は、前記計算値に応じて、基地局（ａ１）と通信を行うＳＴＡ（ａ２，ａ３）のＥＤＣＡアクセスパラメータ、および、基地局（ａ１）自身が通信を行う際に使用するＥＤＣＡアクセスパラメータを決定する。
【００５９】
すなわち、実施形態９は、基地局は一定期間にＳＴＡから受信したＡＣ＿ＶＯカテゴリのパケットのうち、リトライビットが１に設定されているパケット数をＡＣ＿ＶＯでの全受信パケット数で割った値を用いてＥＤＣＡパラメータを切り替えるものである。ＩＥＥＥ８０２．１１規格で無線パケットを送信する場合、リトライビットというビットが設定されており、初めて送信するパケットはこのビットは０であり、失敗すると、２度目からの送信時はリトライビットは１に設定され、そのパケットが再送であることを示す。したがって、リトライビットが１に設定されているパケットは再送されたパケットであるから、本実施形態は、再送されたパケット数を全受信パケット数で割った値を用いてＥＤＣＡパラメータを切り替えるものであるということもできる。図７は、計算値（実施形態９においては、リトライビットが１に設定されているパケット数をＡＣ＿ＶＯでの全受信パケット数で割った値）によるＥＤＣＡパラメータの変更を示す図であり、実施形態８と同様にアクセスパラメータを決定する。
【００６０】
リトライビットが１に設定されているパケット数を全受信パケット数で割った値が増加したらＣＷｍｉｎ値を増加する制御をすることで、衝突率を減少させ、パフォーマンスの改善が可能である。ＣＷｍａｘ値、あるいは、ＣＷｍｉｎ値とＣＷｍａｘ値の両方を増加する制御を行ってもよい。
【００６１】
また、上記の音声用のＡＣ＿ＶＯのアクセスカテゴリの代わりに、ビデオ伝送用のＡＣ＿ＶＩのアクセスカテゴリに属する通信について、同様に、計測を行い、アクセスパラメータを決定するようにしてもよい。また、音声用のＡＣ＿ＶＯのカテゴリおよびビデオ伝送用のＡＣ＿ＶＩのアクセスカテゴリに属する通信について、同様に、計測を行い、アクセスパラメータを決定するようにしてもよい。
【００６２】
（実施形態１０）
実施形態１０は、基地局（ａ１）が、実施形態１〜９で述べたＥＤＣＡパラメータの決定に加えて、基地局（ａ１）と通信を行っているＳＴＡの中でＩＥＥＥ８０２．１１ｅに対応したＳＴＡと、対応していない従来のＳＴＡを区別し、対応していないＳＴＡが１台でも存在する場合と全く存在しない場合で、使用するＥＤＣＡパラメータセットを変更するものである。すなわち、実施形態１０は、基地局（ａ１）と通信を行う通信端末（ＳＴＡ）に、ＩＥＥＥ８０２．１１ｅに対応したＳＴＡだけでなく、ＩＥＥＥ８０２．１１ｅに対応していない従来のＳＴＡが存在する場合に、パケット衝突率の増加を改善し、パフォーマンスを改善するものである。
【００６３】
図８に実施形態１０の基地局（ａ１）のシステム構成図を示す。図８に示すとおり、アクセスパラメータ計算部（ｂ１０）は、基地局（ａ１）と通信を行うＳＴＡがＩＥＥＥ８０２．１１ｅ規格に準拠したＳＴＡかどうかを判別する判別部（ｂ１５）を備えている。その他は図２−１と同様である。すなわち、実施形態１０の基地局は、実施形態１〜９の基地局のアクセスパラメータ計算部（ｂ１０）に判別部（ｂ１５）を備え、判別部（ｂ１５）の判別結果に基づいて、アクセスパラメータ決定部（ｂ１２）が異なったアクセスパラメータを決定するものである。
【００６４】
実施形態１０では、判別部（ｂ１５）は、基地局（ａ１）と通信を行うＳＴＡがＩＥＥＥ８０２．１１ｅ規格に準拠したＳＴＡかどうかを判別する。そして、アクセスパラメータ決定部（ｂ１０）は、基地局（ａ１）と通信を行うＩＥＥＥ８０２．１１ｅ規格に準拠したＳＴＡのＥＤＣＡアクセスパラメータ、および、基地局（ａ１）自身が通信を行う際に使用するＥＤＣＡアクセスパラメータに関して、基地局（ａ１）と通信を行う複数のＳＴＡの中にＩＥＥＥ８０２．１１ｅ規格に準拠しないＳＴＡが少なくとも１台存在する場合と、全く存在しない場合で、２通りのアクセスパラメータを図示しない記憶装置に保持し、判別部（ｂ１５）の判別結果に従い、前記２通りのアクセスパラメータを使い分けて、アクセスパラメータを決定する。
【００６５】
本実施形態においては、図９（ｈ１，ｈ２）に示すように、それぞれの場合でＥＤＣＡパラメータセットを２通り保持しており、使用するパラメータセットを条件に応じて切り替える。図９において、（ｈ１）は（１）ＩＥＥＥ８０２．１１ｅに対応しないＳＴＡが存在しない場合のＥＤＣＡパラメータセットである。（１）ＩＥＥＥ８０２．１１ｅに対応しないＳＴＡが存在しない場合は、条件に適合したＳＴＡ数が閾値１（ｈ１１）以下の場合はＥＤＣＡパラメータセット（１）を用い、条件に適合したＳＴＡ数が閾値１（ｈ１１）を超え閾値２（ｈ１２）以下の場合はＥＤＣＡパラメータセット（２）を用い、条件に適合したＳＴＡ数が閾値２（ｈ１２）を超える場合はＥＤＣＡパラメータセット（３）を用いることを示している。（ｈ２）は（２）ＩＥＥＥ８０２．１１ｅに対応しないＳＴＡが存在する場合のＥＤＣＡパラメータセットである。（２）ＩＥＥＥ８０２．１１ｅに対応しないＳＴＡが存在する場合は、条件に適合したＳＴＡ数が閾値１（ｈ９）以下の場合はＥＤＣＡパラメータセットＡを用い、条件に適合したＳＴＡ数が閾値１（ｈ９）を超え閾値２（ｈ１０）以下の場合はＥＤＣＡパラメータセットＢを用い、条件に適合したＳＴＡ数が閾値２（ｈ１０）を超える場合はＥＤＣＡパラメータセットＣを用いることを示している。アクセスパラメータ決定部（ｂ１２）は、図９に示すＥＤＣＡパラメータセット（１）〜（３）、ＥＤＣＡパラメータセットＡ〜Ｃ、閾値１（ｈ１１）、閾値２（ｈ１２）、閾値１（ｈ９）、閾値２（ｈ１０）を図示しない記憶装置に保持しており、これを用いてアクセスパラメータを決定する。尚、閾値（ｈ９，ｈ１０およびｈ１１，ｈ１２）は同一である必要はない。
【００６６】
このように変更する効果を図１０を用いて説明する。図１０は図９の各パラメータセットの具体例を示したものであり、（ｊ１）すなわち（１）ＩＥＥＥ８０２．１１ｅに対応しないＳＴＡが存在しない場合は、（ｊ３）ではＣＷｍｉｎ、ＣＷｍａｘを標準値とし、（ｊ４）ではＣＷｍｉｎ、ＣＷｍａｘを標準値の２倍とし、（ｊ５）ではＣＷｍｉｎ、ＣＷｍａｘを標準値の４倍とする。（ｊ２）すなわち（２）ＩＥＥＥ８０２．１１ｅに対応しないＳＴＡが存在する場合は、ＣＷｍｉｎは常に標準値とし、（ｊ６）ではＣＷｍａｘを標準値とし、（ｊ７）ではＣＷｍａｘを標準値の２倍とし、（ｊ８）ではＣＷｍａｘを標準値の４倍とする。図１０の（ｊ１）、（ｊ２）のように、２通りのＥＤＣＡパラメータセットを保持し、ＩＥＥＥ８０２．１１ｅに対応しないＳＴＡが存在しない場合は（ｊ３，ｊ４，ｊ５）に示すようにコンテンションウインドウの最小値ＣＷｍｉｎと最大値ＣＷｍａｘを閾値に従い２倍、４倍に増加させる。一方でＩＥＥＥ８０２．１１ｅに対応しないＳＴＡが存在する場合には（ｊ６，ｊ７，ｊ８）に示すように、ＣＷｍａｘのみを２倍、４倍に増加させる制御を行う。
【００６７】
このように制御するのは次の理由による。ＩＥＥＥＥ８０２．１１ｅに対応していないＳＴＡは、従来の規格であるＤＣＦというアクセス方式で送信を行う。このＤＣＦでは、ＣＷｍｉｎ，ＣＷｍａｘが標準の値の場合、８０２．１１ｅのＡＣ＿ＢＥカテゴリ（ベスト・エフォート）と同等の優先度になる。実施形態１〜９を用いてＩＥＥＥ８０２．１１ｅ対応のＳＴＡのＣＷｍｉｎを増加するよう基地局（ａ１）が制御した場合を想定すると、８０２．１１ｅ対応ＳＴＡのＣＷｍｉｎは増加するが、ＩＥＥＥ８０２．１１ｅに対応していないＤＣＦのＳＴＡはＣＷｍｉｎを増加しない。これらが同時に送信しようとした場合、一般的に送信までの待ち時間が少ない、ＣＷｍｉｎが小さいＳＴＡが送信権を得る確率が高いため、８０２．１１ｅ対応ＳＴＡのＡＣ＿ＢＥと、ＤＣＦが同等にならず、ＣＷｍｉｎが小さいＤＣＦが優先されてしまうからである。
【００６８】
上記の実施形態１０の説明は、図９、図１０を用いて行ったが、これはあくまで例示的なものであり、実施形態（１）〜（９）のどの形態でも、すなわち、図９、１０で説明している「条件に適合したＳＴＡ台数」による切り替えだけでなく、図５、図６、図７のような切り替え条件の場合でも同様に、パラメータセットを２通り保持して、ＩＥＥＥ８０２．１１ｅに準拠しないＳＴＡの有無で切り替えてもよいことはいうまでもない。
【００６９】
実施形態１０のように制御することにより、ＩＥＥＥ８０２．１１ｅに対応しないＳＴＡが存在しない場合には、実施形態１〜９と同様にパフォーマンスの改善が可能であり、かつ、ＩＥＥＥ８０２．１１ｅに対応しないＳＴＡが存在する場合には、ＣＷｍｉｎを増加させてしまうと、ＩＥＥＥ８０２．１１ｅに対応しないＳＴＡの送信が優先されてしまい、優先制御が適切に行えなくなるという問題を防止しつつ、パフォーマンスを改善できる。
【００７０】
以上説明した実施形態における基地局および無線端末の各部は、その機能や動作を実現する手段であり、プログラムとコンピュータで構成することができる。また、その一部または全部をハードウェアで構成してもよい。
【００７１】
以上述べた実施形態については、すべて本発明を例示的に示すものであり、限定的に示すものではない。従って本発明は他の種々の変形態様、変更態様で実施することができ、本発明の範囲は特許請求の範囲によってのみ規定されるものである。
【図面の簡単な説明】
【００７２】
【図１】本発明が使用される通信システムの形態を示す図
【図２−１】実施形態の基地局（ＡＰ）のシステム構成図
【図２−２】基地局のＥＤＣＡパラメータ更新手順を示すフローチャート
【図３−１】実施形態の無線端末（ＳＴＡ）のシステム構成図
【図３−２】ＳＴＡのＥＤＣＡパラメータ受信手順を示すフローチャート
【図４】ＳＴＡの台数によるＥＤＣＡパラメータの変更を示す図
【図５】チャネル使用率によるＥＤＣＡパラメータの変更を示す図
【図６】ＳＴＡの台数およびチャネル使用率によるＥＤＣＡパラメータの変更を示す図
【図７】パケット送信成功率などの計算値によるＥＤＣＡパラメータの変更を示す図
【図８】実施形態１０の基地局のシステム構成図
【図９】ＩＥＥＥ８０２．１１ｅに対応しないＩＥＥＥ８０２．１１のＳＴＡが存在した場合と存在しない場合で異なったＥＤＣＡパラメータを使用することを示す図
【図１０】ＩＥＥＥ８０２．１１ｅに対応しないＩＥＥＥ８０２．１１のＳＴＡが存在した場合と存在しない場合で異なったＥＤＣＡパラメータを使用する詳細な実施例を示す図
【符号の説明】
【００７３】
ａ１…基地局（ＡＰ）、ａ２，ａ３…無線端末（ＳＴＡ）、ｂ１０…アクセスパラメータ計算部、ｂ１１…計測部、ｂ１２…アクセスパラメータ決定部、ｂ１３…ＳＴＡ用アクセスパラメータ送信部、ｂ１４…ＡＰ用アクセスパラメータ更新部、ｂ１５…判別部、ｃ１１…ＳＴＡ用アクセスパラメータ取得部、ＳＴＡ用アクセスパラメータ更新部
【図１】
2006246030.tif 000003
【図２−１】
2006246030.tif 000004
【図２−２】
2006246030.tif 000005
【図３−１】
2006246030.tif 000006
【図３−２】
2006246030.tif 000007
【図４】
2006246030.tif 000008
【図５】
2006246030.tif 000009
【図６】
2006246030.tif 000010
【図７】
2006246030.tif 000011
【図８】
2006246030.tif 000012
【図９】
2006246030.tif 000013
【図１０】
2006246030.tif 000014